(57)【要約】【課題】従来の合流式下水道の分水人孔では、流入する浮遊性の夾雑物が雨天時に分水堰高以上の水位となった場合公共用水域へ流出し、公共用水域の水質汚濁の原因のひとつとなっている。【解決手段】本発明の排水装置用水面制御装置においては、流入管と、放流管と、遮集管と、上記遮集管と流入管を上記放流管から遮断するように配置した分水堰とを有する排水装置用水面制御装置であって、上記流入管と上記分水堰との間に介挿せしめたガイドウォールを有し、上記ガイドウォールの下端が上記分水堰の天端より下方に位置され、上端が上記分水堰の天端より上方に位置されていることを特徴とする。上記ガイドウォールはその上端を上記遮集管管頂より上方に位置できる。【選択図】図３
2006161554.tif 000002
【特許請求の範囲】
【請求項１】
流入管と、放流管と、遮集管と、上記遮集管と流入管を上記放流管から遮断するように配置した分水堰とを有する排水装置用水面制御装置であって、上記流入管と上記分水堰との間に介挿せしめたガイドウォールを有し、上記ガイドウォールの下端が上記分水堰の天端より下方に位置され、上端が上記分水堰の天端より上方に位置されていることを特徴とする排水装置用水面制御装置。
【請求項２】
流入管と、放流管と、遮集管と、上記遮集管と流入管を上記放流管から遮断するように配置した分水堰とを有する排水装置用水面制御装置であって、上記流入管と上記分水堰との間に介挿せしめたガイドウォールを有し、上記ガイドウォールの下端が上記分水堰の天端より下方に位置され、上端が上記遮集管管頂より上方に位置されていることを特徴とする排水装置用水面制御装置。
【発明の詳細な説明】
【技術分野】
【０００１】
本発明は排水装置用水面制御装置、特に、雨水と汚水を合流して排水処理するための排水装置において汚水と雨水とを分水する雨水吐き室（分水人孔）内の水面を制御する制御装置に関するものである。
【背景技術】
【０００２】
図４及び図５は従来の合流式下水道分水人孔の平面図、図６Ａ及び図６Ｂは図４の合流式下水道の分水人孔の晴天時の状態を示し、１は分水堰、２は流入管、３は遮集管、４は放流管、５は流入する浮遊性の夾雑物である。図７Ａ，図７Ｂ，図８Ａ及び図８Ｂは雨天時の状態である。
【０００３】
従来の分水人孔においては、晴天時は図６Ａ，図６Ｂのように流入管２から夾雑物５を含んだ汚水が遮集管３へ全量流れ込み、下水処理場、ポンプ場へ流下する。また、雨天時は図７Ａ，図７Ｂのように汚水と共に雨水も分水人孔内へ流入し、一定量以上の水量になると図８Ａ，図８Ｂに示すように流入管２と放流管４間に介挿した分水堰１を越流し、夾雑物５を含んだ汚水の一部も放流管４を通じて公共用水域へと流出する。
【発明の開示】
【発明が解決しようとする課題】
【０００４】
上記のように、従来の分水人孔では、流入する浮遊性の夾雑物５が雨天時に遮集管３へ流入せず放流管４を介して公共用水域へ流出し、公共用水域の水質汚濁の原因のひとつとなっている。この要因の１つには、従来の分水人孔における雨天時の水理特性が挙げられる。従来の分水人孔では図６Ａ，図６Ｂのように晴天時は流入管２から遮集管３に向かって水面勾配が形成されるため、浮遊性夾雑物５は流れに乗って遮集管３へ全量流れ込む。しかし、雨天時においては図７Ａ，図７Ｂのように、晴天時のような流入管２から遮集管３へ向かう水面勾配は形成されない。この状態においては浮遊性夾雑物５は遮集管３へ流入せず、分水人孔内に滞留する。さらに分水人孔への流入水量が増加し分水人孔内水深が分水堰１の高さを上回るようになると、図８Ａ，図８Ｂのように分水堰１を越流することで、流入管２から放流管４へ向かう水面勾配が形成される。この時浮遊性夾雑物５は流れに乗って放流管４を通じて公共用水域へほぼ全量流出する。
【０００５】
このような課題を解決するための手段としては、浮遊性の夾雑物５が遮集管３へ流入し易い流れを分水人孔内で発生させる必要があり、従来の分水人孔を改良し、浮遊性夾雑物の公共用水域への流出削減を行う必要がある。
【課題を解決するための手段】
【０００６】
本発明の排水装置用水面制御装置は、流入管と、放流管と、遮集管と、上記遮集管と流入管を上記放流管から遮断するように配置した分水堰とを有する排水装置用水面制御装置であって、上記流入管と上記分水堰との間に介挿せしめたガイドウォールを有し、上記ガイドウォールの下端が上記分水堰の天端より下方に位置され、上端が上記分水堰の天端より上方に位置されていることを特徴とする。
【０００７】
また、本発明の排水装置用水面制御装置は、流入管と、放流管と、遮集管と、上記遮集管と流入管を上記放流管から遮断するように配置した分水堰とを有する排水装置用水面制御装置であって、上記流入管と上記分水堰との間に介挿せしめたガイドウォールを有し、上記ガイドウォールの下端が上記分水堰の天端より下方に位置され、上端が上記遮集管管頂より上方に位置されていることを特徴とする。
【発明の効果】
【０００８】
本発明の排水装置用水面制御装置によれば、浮遊性の夾雑物５のほぼ全量を遮集管３内に流入させ、雨水時における浮遊性夾雑物５の公共用水域への流出削減を行うことができるようになる大きな利益がある。
【発明を実施するための最良の形態】
【０００９】
以下図面によって本発明の実施例を説明する。
【実施例１】
【００１０】
本発明においては図１〜図３に示すように上記分水堰１の天端から下方の位置にその下端を配置せしめ、その上端を上記分水堰１の天端より上方位置ならしめた垂直ガイドウォール７を上記流入管２と分水堰１間に介挿せしめる。
【００１１】
本発明の他の実施例においては上記垂直ガイドウォール７の上端を上記分水堰１の天端及び上記遮集管３の管頂より上方位置ならしめる。
【００１２】
上記実施例によれば、雨天時において分水人孔水深が分水堰１の高さを上回るような場合においては、図３に示すように流入管２から遮集管３へ向かう水面勾配は形成されるが、流入管２から分水堰１へ向かう水面勾配は形成されないようになる。即ち、浮遊性夾雑物５のほぼ全量が表面流に乗って遮集管３へ流入するため上記従来の欠点を一掃できるようになる。
【００１３】
なお、本発明は図５その他に示すような従来の他の合流式下水道分水人孔に対しても同様に適用できる。
【図面の簡単な説明】
【００１４】
【図１】本発明の排水装置用水面制御装置を用いた合流式下水道分水人孔の平面図である。
【図２】図１に示す本発明の合流式下水道分水人孔の晴天時のＡ−Ａ線断面図である。
【図３】図１に示す本発明の合流式下水道分水人孔の雨天時のＢ−Ｂ線断面図である。
【図４】従来の合流式下水道分水人孔の平面図である。
【図５】従来の他の合流式下水道分水人孔の平面図である。
【図６Ａ】図４に示す従来の合流式下水道分水人孔の晴天時のＡ−Ａ線断面図である。
【図６Ｂ】図４に示す従来の合流式下水道分水人孔の晴天時のＢ−Ｂ線断面図である。
【図７Ａ】図４に示す従来の合流式下水道分水人孔の雨天時のＡ−Ａ線断面図である。
【図７Ｂ】図４に示す従来の合流式下水道分水人孔の雨天時のＢ−Ｂ線断面図である。
【図８Ａ】水量が更に増大した場合の図４に示す従来の合流式下水道分水人孔の雨天時のＡ−Ａ線断面図である。
【図８Ｂ】水量が更に増大した場合の図４に示す従来の合流式下水道分水人孔の雨天時のＢ−Ｂ線断面図である。
【符号の説明】
【００１５】
１  分水堰
２  流入管
３  遮集管
４  放流管
５  夾雑物
７  ガイドウォール
【図１】
2006161554.tif 000003
【図２】
2006161554.tif 000004
【図３】
2006161554.tif 000005
【図４】
2006161554.tif 000006
【図５】
2006161554.tif 000007
【図６Ａ】
2006161554.tif 000008
【図６Ｂ】
2006161554.tif 000009
【図７Ａ】
2006161554.tif 000010
【図７Ｂ】
2006161554.tif 000011
【図８Ａ】
2006161554.tif 000012
【図８Ｂ】
2006161554.tif 000013